(57)【特許請求の範囲】
【請求項１】
送風機と、
前記送風機から取り込まれた空気を加湿する加湿エレメントと、
前記送風機と、前記加湿エレメントとの間に設けられ、前記加湿エレメントの漏水を排出する開口部と、
前記開口部の下方に設けられたドレン皿と、
前記開口部の風下側に設けられ、前記ドレン皿の側へ突出した仕切板と、
前記仕切板の風下側に設けられ、前記ドレン皿に溜まる漏水の水位を検知する水検知センサーと、
少なくとも、前記水検知センサーと、前記仕切板との間に介在され、前記漏水が前記水検知センサーへ飛散するのを防止するカバーと、を備えた
ことを特徴とする加湿器。
【請求項２】
前記カバーは、第１カバーを備え、
前記第１カバーは、
前記仕切板の風下側に設けられ、
前記水検知センサーから第１の間隔を空けた状態で、前記水検知センサーの風上側を覆う第１の部材と、
前記水検知センサーから第２の間隔を空けた状態で、前記水検知センサーの下方を覆う第２の部材と、を備えた
ことを特徴とする請求項１に記載の加湿器。
【請求項３】
前記第１カバーは、
前記水検知センサーから第３の間隔を空けた状態で、前記水検知センサーの側面を覆う第３の部材をさらに備えた
ことを特徴とする請求項２に記載の加湿器。
【請求項４】
前記カバーは、第２カバーをさらに備え、
前記第２カバーは、
前記第１カバーの風下側に設けられ、
前記水検知センサーから第４の間隔を空けた状態で、前記水検知センサーの下方を覆う第４の部材を備えた
ことを特徴とする請求項２又は３に記載の加湿器。
【請求項５】
前記第２カバーは、
前記水検知センサーの風下側を覆う第５の部材と、
前記水検知センサーと、前記第３の部材と、の間に設けられ、前記水検知センサーから第５の間隔を空けた状態で、前記水検知センサーの側面を覆う第６の部材をさらに備えた
ことを特徴とする請求項４に記載の加湿器。
【請求項６】
前記第１カバーは、
前記仕切板と、前記水検知センサーと、前記第２カバーと、から着脱自在に取り付けられ、
前記第２カバーは、
前記仕切板と、前記水検知センサーと、前記第１カバーと、から着脱自在に取り付けられた
ことを特徴とする請求項４又は５に記載の加湿器。
【請求項７】
請求項１〜６の何れか一項に記載の加湿器と、
前記送風機で取り込んだ外気と、前記送風機で取り込んだ室内の空気とを熱交換する熱交換器と、を備え、
前記加湿エレメントは、
前記送風機から取り込まれ、前記熱交換器で熱交換した空気を加湿する
ことを特徴とする空調装置。
【発明の詳細な説明】
【技術分野】
【０００１】
本発明は、加湿器及び空調装置に関する。
【背景技術】
【０００２】
従来、加湿エレメントと、水検知センサーと、を設け、ドレン皿の水位を検知すると共に、加湿を行う加湿器があった（例えば、特許文献１参照）。
【先行技術文献】
【特許文献】
【０００３】
【特許文献１】実開平０２−０８１３３１号公報（実用新案登録請求の範囲）
【発明の概要】
【発明が解決しようとする課題】
【０００４】
ところで、仮に、加湿エレメントが故障した場合、加湿エレメントからの漏水が加湿器内に溜まることが想定される。そこで、従来の加湿器は、加湿エレメントが故障した際の漏水を排出するための開口部が設けられている。このような開口部は、構造上の制約で、加湿エレメントと、送風機との間の空間の下方に設けられている。よって、送風機から供給される空気は、加湿エレメントだけでなく開口部へも流れることとなる。
【０００５】
この結果、加湿エレメントを通過しない空気がドレン排水口からドレン配管に多量に排気される恐れがある。そこで、従来の加湿器は、開口部の風下側に仕切板が設けられている。仕切板は、加湿エレメントを通過しない空気がドレン排水口からドレン配管に多量に排気されるのを防止する。
【０００６】
しかし、ドレン皿と、仕切板との間には狭い隙間があるため、ドレン皿と仕切板との間を通過する空気の速度は増す。よって、ドレン皿に溜まった漏水の水位が仕切板に近づくにつれ、ドレン皿に溜まった漏水がドレン皿と仕切板との間を通過する空気で水検知センサーに飛散する恐れが増す。したがって、ドレン皿と仕切板との隙間に漏水が溜まった場合、水検知センサーは、誤検知する恐れがあった。
【０００７】
換言すれば、従来の加湿器は、ドレン皿と仕切板との隙間に漏水が溜まった場合、ドレン皿の水位を誤検知する恐れがあるという問題点があった。
【０００８】
本発明は、上記のような問題点を解決するためになされたもので、ドレン皿と仕切板との隙間に漏水が溜まったとしても、ドレン皿の水位の誤検知を防止することができる加湿器及び空調装置を提供することを目的とするものである。
【課題を解決するための手段】
【０００９】
本発明に係る加湿器は、送風機と、前記送風機から取り込まれた空気を加湿する加湿エレメントと、前記送風機と、前記加湿エレメントとの間に設けられ、前記加湿エレメントの漏水を排出する開口部と、前記開口部の下方に設けられたドレン皿と、前記開口部の風下側に設けられ、前記ドレン皿の側へ突出した仕切板と、前記仕切板の風下側に設けられ、前記ドレン皿に溜まる漏水の水位を検知する水検知センサーと、少なくとも、前記水検知センサーと、前記仕切板との間に介在され、前記漏水が前記水検知センサーへ飛散するのを防止するカバーと、を備えたものである。
【発明の効果】
【００１０】
本発明は、水検知センサーに飛散した漏水の付着を防ぐカバーを設けることで、ドレン皿と仕切板との隙間に漏水が溜まったとしても、ドレン皿の水位の誤検知を防止することができる。よって、本発明は、ドレン皿の水位を正常に検知することができる加湿器を提供することができるという効果を有する。
【図面の簡単な説明】
【００１１】
【図１】本発明の実施の形態１における加湿器１の断面側面図の一例を示す図である。
【図２】本発明の実施の形態１における水検知センサー２１、第１カバー３１、及び第２カバー３２の側面断面図の一例を示す図である。
【図３】本発明の実施の形態１における第１カバー３１の正面図の一例を示す図である。
【図４】本発明の実施の形態１における第１カバー３１の側面図の一例を示す図である。
【図５】本発明の実施の形態１における第２カバー３２の正面図の一例を示す図である。
【図６】本発明の実施の形態１における第２カバー３２の側面図の一例を示す図である。
【図７】本発明の実施の形態１における第１カバー３１及び第２カバー３２を組み立てたときの正面図の一例を示す図である。
【図８】本発明の実施の形態１における第１カバー３１及び第２カバー３２を組み立てたときの側面図の一例を示す図である。
【図９】本発明の実施の形態２における空調装置２の一例を示す図である。
【図１０】従来例における加湿器１の断面側面図の一例を示す図である。
【図１１】従来例における水検知センサー２１、第１カバー３１、及び第２カバー３２の側面断面図の一例を示す図である。
【発明を実施するための形態】
【００１２】
以下、本発明の実施の形態について、図面を用いて詳細に説明する。
【００１３】
実施の形態１．
（実施の形態１の構成）
図１は、本発明の実施の形態１における加湿器１の断面側面図の一例を示す図である。なお、図１を含む以下の図面では、各構成部材の寸法の関係及び形状等が実際のものとは異なっていてもよい。
【００１４】
図１に示すように、加湿器１は、入口１１、送風機１２、加湿エレメント１３、出口１４、ドレン皿１５、ドレン排水口１６、開口部１７、仕切板１８、水検知センサー２１、第１カバー３１、及び第２カバー３２を備え、筐体３に各構成要素が設けられている。加湿器１は、取り込んだ室内の空気を加湿エレメント１３で加湿してから室内に給気するものである。また、筐体３には、加湿器１の制御主体として、コントロールボックス４が設けられている。
【００１５】
入口１１は、筐体３のうち、送風機１２が空気を取り込む側に設けられ、ダクト接続フランジで構成されている。送風機１２は、筐体３の内部に設けられ、空気を取り込み、取り込んだ空気を加湿エレメント１３に供給し、加湿エレメント１３で加湿した空気を供給する空気の流れを形成するものである。加湿エレメント１３は、筐体３の内部に設けられ、透湿膜で形成されたチューブが複数積層され、図示しない給水口から取り込んだ水が、チューブに供給されることでチューブの表面から水蒸気の状態で放出され、チューブの表面を流れる空気に含ませるものである。出口１４は、筐体３の外部のうち、加湿エレメント１３の風下側に設けられ、ダクト接続フランジで構成されている。
【００１６】
ドレン皿１５は、筐体３の内部に設けられ、送風機１２から加湿エレメント１３に渡って、送風機１２及び加湿エレメント１３の下方に設けられている。ドレン排水口１６は、筐体３の外部に設けられ、図示しないドレン配管を接続させる接続フランジであって、ドレン皿１５に溜まった水を排水するものである。
【００１７】
開口部１７は、筐体３の内部のうち、送風機１２と、加湿エレメント１３との間の空間の下方に設けられ、加湿エレメント１３が故障した際の漏水を排気するものである。仕切板１８は、筐体３の内部のうち、開口部１７の風下側に設けられ、ドレン皿１５に突出し、ドレン皿１５との微小な隙間を形成し、送風機１２から取り込まれた空気が流れ込むのを抑制することで、ドレン排水口１６に流れる空気を抑制するものである。つまり、仕切板１８は、ドレン皿１５の側へ、例えば、ドレン皿１５の方へ突出して設けられることで、ドレン皿１５との間には微小な隙間が形成されている。
【００１８】
水検知センサー２１は、筐体３の内部のうち、仕切板１８の風下側に設けられ、ドレン皿１５に溜まった水の水位を検知する。上記で説明したように、加湿エレメント１３が故障した際、ドレン皿１５には、加湿エレメント１３の漏水が溜まるので、水検知センサー２１は、加湿エレメント１３の漏水の水位を検知する。例えば、ドレン皿１５がオーバーフローすると判定される水位が検知される位置に水検知センサー２１を設けることで、水検知センサー２１は、ドレン皿１５のオーバーフローを検知する。水検知センサー２１の検知結果は、例えば、コントロールボックス４に供給され、コントロールボックス４は水検知センサー２１の検知結果に応じた制御をしてもよい。
【００１９】
水検知センサー２１は、例えば、後述するセンサー部４３が水に触れることで水検知センサー２１の内部で閉回路が形成され、水が検知されるものであるが特に構成は限定されない。例えば、水検知センサー２１は、受光素子と、発光素子とを備えたもので構成されてもよく、具体的には、透過型フォトインタラプタ又は反射型フォトリフレクタ等で構成されてもよい。要するに、水検知センサー２１は、水を検知できる構成であればよく、特に限定されない。
【００２０】
第１カバー３１は、仕切板１８の風下側と、水検知センサー２１との間に設けられ、例えば、水検知センサー２１から第１の間隔を空けた状態で、水検知センサー２１の風上側と、水検知センサー２１の下方と、水検知センサー２１の側面とを覆っている。
【００２１】
第２カバー３２は、水検知センサー２１の下方と、水検知センサー２１の側面と、水検知センサー２１の風下側とを覆っている。なお、第１カバー３１と、第２カバー３２との位置関係については後述するが、第１カバー３１と、第２カバー３２とは組み合わせて使用されることで、水検知センサー２１の周囲が覆われている。
【００２２】
なお、第１カバー３１及び第２カバー３２を総称する場合、カバー３０と称することとする。ここで、カバー３０は、少なくとも、仕切板１８の風下側と、水検知センサー２１との間に介在して設けられている。
【００２３】
なお、室内の空気を排気する排気口と、室内の空気を還気する還気口と、室外の空気を取り込む外気口と、室内へ空気を給気する給気口と、がそれぞれダクト接続フランジで構成されていてもよい。また、上記の説明では、送風機１２が１台設けられた一例について説明したが、特にこれに限定されず、複数台の送風機１２が設けられていてもよい。
【００２４】
図２は、本発明の実施の形態１における水検知センサー２１、第１カバー３１、及び第２カバー３２の側面断面図の一例を示す図である。図２に示すように、第１カバー３１と、第２カバー３２とは、第１中間板１９に設けられ、水検知センサー２１を覆うように組み立てられている。第１カバー３１は、仕切板１８と、水検知センサー２１と、第２カバー３２と、から着脱自在に取り付けられるものである。第２カバー３２は、仕切板１８と、水検知センサー２１と、第１カバー３１と、から着脱自在に取り付けられるものである。
【００２５】
水検知センサー２１は、センサー部４３と、センサー取付部４４とを備えている。センサー取付部４４は、例えば、第１カバー３１に設けられている。仕切板１８は、例えば、第１中間板１９の端部に設けられ、図１で説明したドレン皿１５の方へ突出している。仕切板１８の長さは、ドレン皿１５との距離で定まるものであって、ドレン皿１５との間に微小な隙間が設けられればよい。つまり、仕切板１８の長さは、図１で説明したドレン水４１の水位が検知されるように水検知センサー２１までドレン水４１が侵入できる微小な隙間が形成される長さであればよい。
【００２６】
ここで、開口部１７は、例えば、第１中間板１９と、第２中間板２０との間に設けられるものであるが、その形状は特に限定されない。
【００２７】
次に、第１カバー３１、第２カバー３２、及び水検知センサー２１のそれぞれに設けられている隙間について説明する。詳細については図３〜図６で後述するが、まず、第１カバー３１及び第２カバー３２の部材構成について説明する。第１カバー３１は、詳細については図３及び図４で後述するが、第１カバー背面部材５１、第１カバー上面部材５２、第１カバー正面部材５３、第１カバー底面部材５４、及び第１カバー側面部材５５を備えている。第２カバー３２は、詳細については図５及び図６で後述するが、第２カバー背面部材６１、第２カバー側面部材６２、第２カバー底面部材６３、及び第２カバー斜面部材６４を備えている。
【００２８】
第１の隙間７１は、水検知センサー２１のセンサー部４３の風上側と、第１カバー正面部材５３との間で形成される空間である。第２の隙間７２は、水検知センサー２１のセンサー部４３の下側と、第１カバー底面部材５４との間で形成される空間である。第３の隙間７３は、水検知センサー２１のセンサー部４３の風下側と、第２カバー背面部材６１との間で形成される空間である。第４の隙間７４は、水検知センサー２１のセンサー部４３の下側と、第２カバー底面部材６３との間で形成される空間である。
【００２９】
図３は、本発明の実施の形態１における第１カバー３１の正面図の一例を示す図である。図４は、本発明の実施の形態１における第１カバー３１の側面図の一例を示す図である。図３及び図４に示すように、第１カバー３１は、第１カバー背面部材５１、第１カバー上面部材５２、第１カバー正面部材５３、第１カバー底面部材５４、第１カバー側面部材５５＿１、及び第１カバー側面部材５５＿２を備えている。なお、第１カバー側面部材５５＿１と、第１カバー側面部材５５＿２とを特に区別しない場合、第１カバー側面部材５５と称する。
【００３０】
第１カバー上面部材５２は、第１カバー正面部材５３の上側に形成されている。第１カバー底面部材５４は、第１カバー正面部材５３の下側に形成されている。第１カバー側面部材５５は、第１カバー正面部材５３の両側にそれぞれ形成されている。第１カバー背面部材５１は、第１カバー上面部材５２の上側であって、第１カバー上面部材５２の縁側に形成されている。ここで、第５の隙間７５は、水検知センサー２１のセンサー部４３の側面と、第１カバー側面部材５５との間で形成される空間である。
【００３１】
図５は、本発明の実施の形態１における第２カバー３２の正面図の一例を示す図である。図６は、本発明の実施の形態１における第２カバー３２の側面図の一例を示す図である。図５及び図６に示すように、第２カバー３２は、第２カバー背面部材６１、第２カバー側面部材６２＿１、第２カバー側面部材６２＿２、第２カバー底面部材６３、及び第２カバー斜面部材６４を備えている。なお、第２カバー側面部材６２＿１と、第２カバー側面部材６２＿２とを特に区別しない場合、第２カバー側面部材６２と称する。
【００３２】
第２カバー側面部材６２は、第２カバー背面部材６１と比べ、両側にそれぞれ形成されている。第２カバー底面部材６３は、第２カバー背面部材６１と比べ、下側に形成されている。第２カバー斜面部材６４は、第２カバー背面部材６１を基準として一定の角度の傾斜で第２カバー背面部材６１の上側に形成されている。ここで、第６の隙間７６は、水検知センサー２１のセンサー部４３の側面と、第２カバー側面部材６２との間で形成される空間である。なお、第２カバー斜面部材６４は、センサー取付部４４の上側を覆う構成であればよいため、上記で説明した角度は特に限定されない。
【００３３】
図７は、本発明の実施の形態１における第１カバー３１及び第２カバー３２を組み立てたときの正面図の一例を示す図である。図８は、本発明の実施の形態１における第１カバー３１及び第２カバー３２を組み立てたときの側面図の一例を示す図である。図７及び図８に示すように、第７の隙間７７は、第１カバー側面部材５５と、第２カバー側面部材６２との間で形成される空間である。また、第８の隙間７８は、第１カバー底面部材５４と、第２カバー底面部材６３との間で形成される空間である。また、第９の隙間７９は、第１カバー正面部材５３と、第２カバー側面部材６２との間で形成される空間である。
【００３４】
ここで、第１カバー背面部材５１の一部と、第２カバー背面部材６１の一部とが接触し、第１カバー上面部材５２の一部と、第２カバー側面部材６２の一部とが接触し、第１カバー正面部材５３の一部と、第２カバー底面部材６３の一部とが接触している。なお、第１カバー正面部材５３と、第２カバー側面部材６２とは、上記で説明したように、第９の隙間７９が形成されているため、接触していない。
【００３５】
なお、上記で説明したカバー３０の構成は一例であり、特に限定されない。要するに、カバー３０は、少なくとも、水検知センサー２１と、仕切板１８との間に介在され、加湿エレメント１３からの漏水が水検知センサー２１へ飛散するのが防止できる構成であればよい。
【００３６】
（実施の形態１の作用）
ここで、送風機１２から吹き出された一部の空気は、開口部１７を通過した後、仕切板１８と、ドレン皿１５との微小な隙間を通過し、ドレン排水口１６から図示しないドレン配管に押し込まれる。また、加湿エレメント１３が故障した場合、ドレン皿１５には、加湿エレメント１３からの漏水が開口部１７を介して滴下されるので、時間の経過と共に、漏水がドレン水４１としてドレン皿１５にしだいに溜まる。
【００３７】
その後、送風機１２が駆動中、ドレン水４１が、仕切板１８と、ドレン皿１５との微小な隙間に到達すると、仕切板１８とドレン皿１５との間には微小な隙間が形成されているため、圧力が低くなり、仕切板１８とドレン皿１５との間の微小な隙間、つまり、間隙を通過する空気の風速は増加する。よって、ドレン水４１のうち、仕切板１８の下方にあるドレン水４１は、仕切板１８とドレン皿１５との間を通過する空気で仕切板１８の風下側に飛散する。
【００３８】
ただし、ドレン水４１が仕切板１８の風下側に飛散したとしても、水検知センサー２１にカバー３０が設けられているため、カバー３０にドレン水４１が飛散することはあっても、水検知センサー２１に直接ドレン水４１が飛散することはない。よって、飛散したドレン水４１が水検知センサー２１に付着することもない。なお、ここでいう飛散とは、開口部１７を通過した空気が仕切板１８とドレン皿１５との間の間隙を通り、その間隙からの空気流によってドレン水４１が飛び散る状態を意味すると想定する。
【００３９】
次いで、時間の経過と共に、ドレン水４１がドレン皿１５にさらに溜まると、ドレン水４１は、カバー３０と水検知センサー２１との隙間を通過して水検知センサー２１に到達する。具体的には、ドレン水４１は、上記で説明した第１の隙間７１及び第２の隙間７２を通過することで、水検知センサー２１に到達する。
【００４０】
この結果、水検知センサー２１のセンサー部４３にドレン水４１が触れている状態となり、結果として、水検知センサー２１のセンサー部４３にドレン水４１が付着した状態となる。水検知センサー２１は検知結果をコントロールボックス４に供給する。コントロールボックス４は、加湿エレメント１３への給水を遮断させ、ドレン皿１５のオーバーフローを防止する。
【００４１】
（実施の形態１の効果）
次に、従来例と比較しながら本実施の形態の効果について説明する。
【００４２】
図１０は、従来例における加湿器１の断面側面図の一例を示す図である。図１１は、従来例における水検知センサー２１、第１カバー３１、及び第２カバー３２の側面断面図の一例を示す図である。図１０に示すように、送風機１２が駆動することで、入口１１から空気が吸い込まれ、送風機１２から吹き出された空気は、加湿エレメント１３を通過し、加湿された空気が出口１４から吹き出される。また、送風機１２から吹き出された一部の空気は、仕切板１８と、ドレン皿１５との間の微小な隙間を通過して、ドレン排水口１６から図示しないドレン配管に押し込まれる。
【００４３】
ここで、加湿エレメント１３が故障したと想定する。この場合、加湿エレメント１３の漏水が開口部１７からドレン皿１５に滴下される。次いで、時間の経過と共に、ドレン皿１５に漏水が溜まるため、漏水であるドレン水４１が仕切板１８とドレン皿１５との微小な隙間に到達する。ドレン水４１と仕切板１８との間は微小な隙間であるため、風速が増し、ドレン水４１が飛散する。飛散したドレン水４１は、水検知センサー２１に付着する恐れがある。
【００４４】
そこで、本実施の形態１では、上記で説明したように、水検知センサー２１を覆うカバー３０が設けられている。カバー３０は、第１カバー３１と、第２カバー３２とで組み立てられることで水検知センサー２１の周囲を覆いつつ、第１の隙間７１〜第９の隙間７９が形成されている。よって、ドレン水４１の飛散でセンサー部４３にドレン水４１が付着するのを防ぎつつ、ドレン水４１の水位が上昇するにつれ、水位の上昇に伴うドレン水４１がセンサー部４３に入り込めるようになっている。
【００４５】
よって、加湿器１は、ドレン皿１５と仕切板１８との隙間に漏水が溜まったとしても、ドレン皿１５の水位の誤検知を防止することができる。したがって、加湿器１は、ドレン皿１５の水位を正常に検知することができる。
【００４６】
なお、第１カバー正面部材５３は、本発明における第１の部材に相当する。また、第１カバー底面部材５４は、本発明における第２の部材に相当する。また、第１の隙間７１は、本発明における第１の間隔に相当する。また、第２の隙間７２は、本発明における第２の間隔に相当する。また、第５の隙間７５は、本発明における第３の間隔に相当する。また、第１カバー側面部材５５は、本発明における第３の部材に相当する。また、第４の隙間７４は、本発明における第４の間隔に相当する。また、第２カバー底面部材６３は、本発明における第４の部材に相当する。第２カバー背面部材６１は、本発明における第５の部材に相当する。また、第６の隙間７６は、本発明における第５の間隔に相当する。また、第２カバー側面部材６２は、本発明における第６の部材に相当する。
【００４７】
以上の説明から、加湿器１は、ドレン皿１５と仕切板１８との隙間に漏水が溜まったとしても、ドレン皿１５の水位の誤検知を防止することができる。よって、加湿器１は、ドレン皿１５の水位を正常に検知することができる。
【００４８】
以上、本実施の形態１においては、送風機１２と、送風機１２から取り込まれた空気を加湿する加湿エレメント１３と、送風機１２と、加湿エレメント１３との間に設けられ、加湿エレメント１３の漏水を排出する開口部１７と、開口部１７の下方に設けられたドレン皿１５と、開口部１７の風下側に設けられ、ドレン皿１５の側へ突出した仕切板１８と、仕切板１８の風下側に設けられ、ドレン皿１５に溜まる漏水の水位を検知する水検知センサー２１と、少なくとも、水検知センサー２１と、仕切板１８との間に介在され、漏水が水検知センサー２１へ飛散するのを防止するカバー３０と、を備えた加湿器１が構成されている。
【００４９】
上記構成のため、加湿器１は、ドレン皿１５と仕切板１８との隙間に漏水が溜まったとしても、ドレン皿１５の水位の誤検知を防止することができる。よって、加湿器１は、ドレン皿１５の水位を正常に検知することができる。
【００５０】
また、本実施の形態１においては、カバー３０は、第１カバー３１を備え、第１カバー３１は、仕切板１８の風下側に設けられ、水検知センサー２１から第１の隙間７１を空けた状態で、水検知センサー２１の風上側を覆う第１カバー正面部材５３と、水検知センサー２１から第２の隙間７２を空けた状態で、水検知センサー２１の下方を覆う第１カバー底面部材５４と、を備えたものである。
【００５１】
また、本実施の形態１において、第１カバー３１は、水検知センサー２１から第５の隙間７５を空けた状態で、水検知センサー２１の側面を覆う第１カバー側面部材５５をさらに備えたものである。
【００５２】
また、本実施の形態１において、カバー３０は、第２カバー３２をさらに備え、第２カバー３２は、第１カバー３１の風下側に設けられ、水検知センサー２１から第４の隙間７４を空けた状態で、水検知センサー２１の下方を覆う第２カバー底面部材６３を備えたものである。
【００５３】
また、本実施の形態１において、第２カバー３２は、水検知センサー２１の風下側を覆う第２カバー背面部材６１と、水検知センサー２１と、第１カバー側面部材５５と、の間に設けられ、水検知センサー２１から第６の隙間７６を空けた状態で、水検知センサー２１の側面を覆う第２カバー側面部材６２をさらに備えたものである。
【００５４】
また、本実施の形態１において、第１カバー３１は、仕切板１８と、水検知センサー２１と、第２カバー３２と、から着脱自在に取り付けられ、第２カバー３２は、仕切板１８と、水検知センサー２１と、第１カバー３１と、から着脱自在に取り付けられたものである。
【００５５】
したがって、加湿器１は、特に顕著に、ドレン皿１５の水位を正常に検知することができる。
【００５６】
実施の形態２．
（実施の形態２の構成）
本発明の実施の形態２に係る空調装置２について説明する。
【００５７】
実施の形態１では、加湿エレメント１３を備えた加湿器１について説明したが、本発明の実施の形態２では、さらに、熱交換器２３を備えた空調装置２について説明する。
【００５８】
図９は、本発明の実施の形態２における空調装置２の一例を示す図である。なお、実施の形態１と同一の機能及び作用を有する構成要素については、同一の符号を付してその説明を省略する。図９に示すように、入口１１と、送風機１２との間に、熱交換器２３が設けられている。熱交換器２３は、例えば、送風機１２で取り込んだ外気と、送風機１２で取り込んだ室内の空気とを熱交換するものである。よって、加湿エレメント１３には、熱交換器２３で熱交換後の空気が供給される。加湿エレメント１３は、熱交換後の空気を加湿し、出口１４を介して、室内に供給する。
【００５９】
（実施の形態２の作用）
ここで、加湿エレメント１３が故障した場合であっても、水検知センサー２１には、カバー３０が設けられているため、実施の形態１と同様に、ドレン水４１が付着することがない。
【００６０】
（実施の形態２の効果）
上記の説明から、空調装置２は、ドレン皿１５と仕切板１８との隙間に漏水が溜まったとしても、ドレン皿１５の水位の誤検知を防止することができる。したがって、空調装置２は、ドレン皿１５の水位を正常に検知することができる。
【００６１】
以上、本実施の形態２において、実施の形態１に記載の加湿器１と、送風機１２で取り込んだ外気と、送風機１２で取り込んだ室内の空気とを熱交換する熱交換器２３と、を備え、加湿エレメント１３は、送風機１２から取り込まれ、熱交換器２３で熱交換した空気を加湿する空調装置２が構成されている。
【００６２】
上記構成で、空調装置２は、ドレン皿１５と仕切板１８との隙間に漏水が溜まったとしても、ドレン皿１５の水位の誤検知を防止することができる。
【００６３】
したがって、空調装置２は、ドレン皿１５の水位を正常に検知することができる。
【符号の説明】
【００６４】
１  加湿器、２  空調装置、３  筐体、４  コントロールボックス、１１  入口、１２  送風機、１３  加湿エレメント、１４  出口、１５  ドレン皿、１６  ドレン排水口、１７  開口部、１８  仕切板、１９  第１中間板、２０  第２中間板、２１  水検知センサー、２３  熱交換器、３０  カバー、３１  第１カバー、３２  第２カバー、４１  ドレン水、４３  センサー部、４４  センサー取付部、５１  第１カバー背面部材、５２  第１カバー上面部材、５３  第１カバー正面部材、５４  第１カバー底面部材、５５、５５＿１、５５＿２  第１カバー側面部材、６１  第２カバー背面部材、６２、６２＿１、６２＿２  第２カバー側面部材、６３  第２カバー底面部材、６４  第２カバー斜面部材、７１  第１の隙間、７２  第２の隙間、７３  第３の隙間、７４  第４の隙間、７５  第５の隙間、７６  第６の隙間、７７  第７の隙間、７８  第８の隙間、７９  第９の隙間。
【図１】
0005959498.tif 000002
【図２】
0005959498.tif 000003
【図３】
0005959498.tif 000004
【図４】
0005959498.tif 000005
【図５】
0005959498.tif 000006
【図６】
0005959498.tif 000007
【図７】
0005959498.tif 000008
【図８】
0005959498.tif 000009
【図９】
0005959498.tif 000010
【図１０】
0005959498.tif 000011
【図１１】
0005959498.tif 000012